(57)【特許請求の範囲】
【請求項１】
立設された支柱の上端に水平に付設される長尺のクリップ本体と、該クリップ本体の両側の長手方向に沿って枢設された長尺の押え部材と、該押え部材の下方押え部を前記クリップ本体側に弾性的に圧接させてポップを挟圧保持するようにしたバネ部材とから成り、前記クリップ本体の上側長手方向に厚手のボードを立設状に保持する挟持片が設けられ、夫々の押え部材の上部に設けられた押圧片を前記バネ部材の弾性力に抗して押し込むことにより該押え部材の下方押え部を開く方向に回動する一方、夫々の押え部材の下部に設けられた引上片を前記バネ部材の弾性力に抗して引き上げることにより該押え部材の下方押え部を開く方向に回動するようにしたことを特徴とするスタンドクリップ。
【請求項２】
前記クリップ本体の上側長手方向に設けられた前記挟持片の内部に二段またはそれ以上の段差が設けられたことによって二種以上の厚さのボードを保持するようにしたことを特徴とする請求項１記載のスタンドクリップ。
【請求項３】
前記両側押え部材の下方押え部の内側長手方向に沿って突起が形成され、該押え部材の突起が前記クリップ本体の両側面に圧接される部位に凹溝が形成されたことを特徴とする請求項１記載のスタンドクリップ。
【発明の詳細な説明】
【０００１】
【発明の属する技術分野】
本発明は、商店等に設置されるスタンドに設けられたクリップにポップを挟んで表示するようにしたスタンドクリップに関するものである。
【０００２】
【従来の技術】
図７に示すものは、陳列棚等の台上に設置したスタンドを用いてポップを吊り下げた状態にするスタンドクリップの一例である。その構成は、底部に磁石を固設したベース３０に支柱３１が立設され、該支柱３１の上端には左右に延びる水平バー３２が固設され、該水平バー３２の左右夫々の離間位置に下部が開閉されるクリップ３３、３３が設けられ、該クリップ３３、３３は板バネ３４によって下部の開閉二片３５、３５を閉方向に挟圧すると共に、夫々のクリップ３３の上部には板バネ３４の弾性力に抗して下部の開閉二片３５、３５を開くための押圧二片３６、３６が設けられてなるものである。
【０００３】
このような左右一対のクリップ３３、３３を有するスタンドクリップによれば、横幅の広いポップＰを両側のクリップ３３、３３に吊り下げておくことができるという利点を有するものである。
【０００４】
【発明が解決しようとする課題】
ところが、上記のスタンドクリップを使用するには、一方のクリップ３３でポップＰの一側上端を挟んだ後、他方のクリップ３３でポップＰの他側上端を挟むという面倒な作業を必要とし、ワンタッチでポップを挟むことができないという欠点があった。
【０００５】
また、両側のクリップ３３、３３の中心が支柱３１の軸線と同一面に設けられているため、左右のクリップ３３、３３に吊り下げられたポップの中央部分が支柱２に当たって盛り上がった状態に張られることとなる。
【０００６】
さらには、１個のスタンドクリップで２枚のポップＰ、Ｐを表示する場合、これらのポップを重ねた状態にして左右のクリップ３３、３３で挟持することとなるが、少なくとも片側のポップは支柱２によって視界がさえぎられた状態となり、さらに片方のポップを取り替える際には左右のクリップ３３、３３から両方のポップを取り外して取り替える必要があった。
【０００７】
本発明は、このような事情に鑑みてなされたもので、１個のスタンドクリップによって２枚のポップを独立してワンタッチ操作で吊り下げることができ、さらには厚手のボードを立設可能とすると共に、厚手のボードを立設した場合でも２枚のポップを独立して取り替えることができるようにしたスタンドクリップを提供することを目的とする。
【０００８】
【課題を解決するための手段】
上記の目的を達成するために、本発明の請求項１のスタンドクリップは、立設された支柱の上端に水平に付設される長尺のクリップ本体と、該クリップ本体の両側の長手方向に沿って枢設された長尺の押え部材と、該押え部材の下方押え部を前記クリップ本体側に弾性的に圧接させてポップを挟圧保持するようにしたバネ部材とから成り、前記クリップ本体の上側長手方向に厚手のボードを立設状に保持する挟持片が設けられ、夫々の押え部材の上部に設けられた押圧片を前記バネ部材の弾性力に抗して押し込むことにより該押え部材の下方押え部を開く方向に回動する一方、夫々の押え部材の下部に設けられた引上片を前記バネ部材の弾性力に抗して引き上げることにより該押え部材の下方押え部を開く方向に回動するようにしたことを特徴とする。
【０００９】
また、本発明の請求項２のスタンドクリップは、請求項１において、前記クリップ本体の上側長手方向に設けられた前記挟持片の内部に二段またはそれ以上の段差が設けられたことによって二種以上の厚さのボードを保持するようにしたことを特徴とする。
【００１０】
さらに、本発明の請求項３のスタンドクリップは、請求項１において、前記両側押え部材の下方押え部の内側長手方向に沿って突起が形成され、該押え部材の突起が前記クリップ本体の両側面に圧接される部位に凹溝が形成されたことを特徴とする。
【００１１】
【発明の実施の形態】
以下、本発明の実施例について図面を参照しながら説明する。
【００１２】
本発明によるスタンドクリップ１は、図２に示すように、立設された支柱２の上端に水平に付設される長尺のクリップ本体３と、該クリップ本体３の両側の長手方向に沿って枢設された長尺の押え部材４、４と、該押え部材４、４の下方押え部５、５をクリップ本体３側に弾性的に圧接させてポップＰを挟圧保持するようにしたバネ部材６、６とから成り、クリップ本体３の上側長手方向に厚手のボードＢを立設状に保持する挟持片７、７が設けられ（図１参照）、夫々の押え部材４の上部に設けられた押圧片８をバネ部材６の弾性力に抗して押し込むことにより該押え部材４の下方押え部５を開く方向に回動する一方、夫々の押え部材４の下部に設けられた引上片９を引き上げることにより該押え部材４の下方押え部５を開く方向に回動するようにしたものである。
【００１３】
このようなスタンドクリップ１の構成について詳細に述べると、図２に示すように、ベース１０に立設された支柱２の上端には長尺のクリップ本体３が固設されている。ベース１０は金属製平板から成り、その重量を確保することによって支柱２の転倒を防止するようにしている。なお、ベース１０の端部から中央に向かって凹み部１１が形成されているため、このベース１０の凹み部１１に他の同一構成のベース１０に固設された支柱２を収納して多数枚のベース１０を重ねた状態に保管することを可能としている。
【００１４】
また、支柱２は小径の上方パイプ２ａとそれよりも大径の下方パイプ２ｂとから成り、上方パイプ２ａを下方パイプ２ｂに差し込んで、その伸長高さを所定位置で固定するためのストッパー１２を備えている。
【００１５】
クリップ本体３は長尺の一体的形状からなり、中央の下部には、図３に示すように二点鎖線で示す支柱２を挿着する支柱穴３ａが縦状に設けられ、該支柱穴３ａに支柱２の上端を挿着した状態にしてクリップ本体３を水平方向に回動させることができる。
【００１６】
また、クリップ本体３の上側長手方向には、所定幅の空隙を有する挟持片７、７が形成されている。この挟持片７、７は、図２に示すように中央が隆起した円弧状に形成され、図１に示すようにその空隙に所定厚さのボードＢを挟んでクリップ本体３上に立設することができる。
【００１７】
なお、図２に示すように、両側の挟持片７、７の内側壁面には間隔をあけて多数の押え突起７ａ、７ａ…が形成され、図５に示すように、挟持片７、７にボードＢを挟んだときに夫々の押え突起７ａ、７ａ…でボードＢの両側を押えることによって該ボードＢの抜け出しを防止することができる。
【００１８】
クリップ本体３の挟持片７、７の内部は、図６に示すように二段またはそれ以上の段差２３を設けた構成としてもよく、夫々の段差２３ごとに異なる内幅の空隙に所定厚さのボードＢを挟持することにより、クリップ本体３上に二種以上の厚さのボードＢ、Ｂ’を立設保持することが可能となる。
【００１９】
図２のクリップ本体３には片側の状況が示されている。クリップ本体３の両側夫々の形状は略同一の構成であって、このクリップ本体３を挟んで両側に設けられる押え部材４、４の形状についても外側と内側共に略同様の構成を有する。
【００２０】
このような図２に示すように、クリップ本体３の両側夫々の中央には該クリップ本体３の長手方向に幅を有する中央枢着突起１３、１３が形成されている。この中央枢着突起１３、１３と押え部材４、４に設けられた中央枢着受部１４、１４とが回動自在に嵌合される関係となる。
【００２１】
より詳細には、その断面状況を図３に示すように、クリップ本体３の両側面の中央には上記の中央枢着突起１３、１３が形成され、クリップ本体３の両側に設けられた押え部材４、４の内側には中央枢着受部１４、１４が形成され、この中央枢着受部１４、１４にクリップ本体３の中央枢着突起１３を嵌合した構成により、夫々の押え部材４は中央枢着突起１３を中心に回動することができる。
【００２２】
また、図２に示すように夫々の押え部材４の中央には上方に延長された有幅の押圧片８が形成されると共に、その下方に延長された有幅の引上片９が形成されている。これらの押圧片８と引上片９は、図３に示すように、中央枢着受部１４、１４を境にしてその上方と下方に延長されたものであり、夫々外側に湾曲した断面形状を有する。
【００２３】
さらに、図２に示すように、クリップ本体３の側部の左右には側方枢着突起１５、１５がクリップ本体３の長手方向に幅を有して設けられ、この側方枢着突起１５、１５と夫々の押え部材４、４に設けられた側方枢着受部１６、１６とが回動自在に嵌合される関係となる。
【００２４】
より詳細には、その断面状況を図４に示すように、クリップ本体３の内部にはバネ部材６として用いられたコイルバネを収納するための空隙１７が形成され、この空隙１７はクリップ本体３の両側板に設けられた切欠部１８、１８に連通されている。切欠部１８はバネ部材６の変形による逃げ部として機能し、この切欠部１８にはバネ部材６の各延長片６ａを通過させるための切込部１９を有して形成されている。なお、クリップ本体３の両側板における切込部１９、１９は、バネ部材６の両側の延長片６ａ、６ａの位置関係が相違することによってクリップ本体３の両側夫々に互い違いに設けられている。
【００２５】
ここで、バネ部材６について説明すると、図２に示すようにコイル部の両側から同方向に延長された延長片６ａ、６ａが形成され、両側延長片９ａ、９ａの端部を互いに内側に向けて折曲した折曲片６ｂ、６ｂを有するものである。
【００２６】
このように形成されたバネ部材６をクリップ本体３の空隙１７、１７に収納すると共に両側の延長片６ａ、６ａを両側の切込部１９、１９から外側に突出して夫々の折曲片６ｂ、６ｂを両側の押え部材４、４に形成されたバネ掛止孔２０、２０に挿着して掛止することにより、上記のようにクリップ本体３の両側に沿って枢設された夫々の押え部材４、４の下方部をバネ部材６の弾性力によってクリップ本体３側に押圧し、クリップ本体３の両側と夫々の押え部材４、４との間にポップＰを保持することができる。
【００２７】
また、両側押え部材４、４の夫々の内側下端部であって該押え部材４、４の長手方向に沿って突起２１が形成され、押え部材４、４がクリップ本体３側に閉じられたときに押え部材４、４の突起２１が噛合する位置におけるクリップ本体３の両側面の長手方向に沿って凹溝２２が形成されている。
【００２８】
上記のように構成した本発明によるスタンドクリップ１を使用するには、図５に示すように、例えば図の右側の押え部材４Ａの押圧片８に親指を当て、左側の押え部材４Ｂの押圧片８に他の指を当てて挟圧すると、より大きい力が作用する右側の押え部材４Ａが支点を中心に回動することにより押え部材４Ａの下部を開くことができ、ここにポップＰを挟んで指の力を抜くとバネ弾性によって押え部材４Ａが左側の押え部材４Ｂのように閉じられ、この状態でクリップ本体３の凹溝２２に押え部材４の突起２１がポップＰを挟んだ状態で押えつけて該ポップＰの離脱を防止することができる。
【００２９】
なお、上記の説明において、通常は、親指の力が強いために親指で押さえた側の押え部材４Ａが開くが、支点をなす中央枢着突起１３または側方枢着突起１５から離れた位置に指を当てると、親指でない側で押えた押え部材４Ｂを優先的に開くことができ、このような力の入れ加減によってワンタッチ操作で押え部材４、４の片側ずつにポップＰを挟持することができる。
【００３０】
しかして、図１に示すように、１個のスタンドクリップ１のクリップ本体３の両側に設けられた押え部材４、４によってクリップ本体３の両側にポップＰを１枚ずつ独立的に挟持することができる。また、支柱２はクリップ本体３の下部内の支柱穴１３に挿着されているため、クリップ本体３の両側にポップＰが垂れ下がった状態において、ポップＰが従来例のように支柱２に当たることがなく、まっすぐな状態で表示することが可能となる。さらに、両側のポップＰ、Ｐの表示面を外側に向けて挟持することによっていずれのポップＰも支柱２によってその視界が妨げられることがない。
【００３１】
また、クリップ本体３の上部の挟持片７、７には所定厚さのボードＢを挟持して立設した状態にすることができる。このようにクリップ本体３の上部にボードＢを挟持した状態においては、両側の押え部材４、４を片手の指で一度に挟むことができないが、このような場合は、夫々の押え部材４、４の下方に設けられた引上片９、９のうち所望する側に指を引っかけて押え部材４を引上方向に回動することにより押え部材４、４を片側ずつ開いてポップＰの交換及び新しいポップを挟むことができる。
【００３２】
【発明の効果】
以上説明したように、本発明のスタンドクリップは、１個のスタンドクリップにおけるクリップ本体の両側に設けられた押え部材によって独立的に１枚ずつポップを挟んで吊り下げることができ、そのための操作は両側の押え部材に設けられた夫々の押圧片を片手の指で把持するというワンタッチ操作で行うことができる。
【００３３】
しかも、夫々のポップの吊り下げ状態は、ポップが支柱に当たることがないため真っ直ぐに表示することが可能であり、さらにポップの表示面が支柱によってその視界をさえぎられることがない。
【００３４】
さらに、クリップ本体の上部には厚手のボードを立設することができ、この状態では押え部材の両方の押圧片を一度に操作することができないが、この場合には、押え部材の引上片を操作することによって片側ずつ押え部材にポップを挟むことができる。
【図面の簡単な説明】
【図１】本発明によるスタンドクリップの全体斜視図である。
【図２】本発明によるスタンドクリップの分解斜視図である。
【図３】図１のＡ−Ａ線に沿う断面状況を示す図である。
【図４】図１のＢ−Ｂ線に沿う断面状況を示す図である。
【図５】本発明によるスタンドクリップの端面状況を示す図である。
【図６】本発明のクリップ本体に段部を設けた状況を示す端面図である。
【図７】従来のスタンドクリップの全体斜視図である。
【符号の説明】
１…スタンドクリップ
２…支柱
３…クリップ本体
４…押え部材
５…下方押え部
６…バネ部材
６ａ…延長片
６ｂ…折曲片
７…挟持片
８…押圧片
９…引上片
１０…ベース
１３…中央枢着突起
１４…中央枢着受部
１５…側方枢着突起
１６…側方枢着受部
１７…空隙
１８…切欠部
１９…切込部
２０…バネ掛止孔
２１…突起
２２…凹溝
２３…段差
Ｐ…ポップ
Ｂ…ボード
【図１】
0003864299.tif 000002
【図２】
0003864299.tif 000003
【図３】
0003864299.tif 000004
【図４】
0003864299.tif 000005
【図５】
0003864299.tif 000006
【図６】
0003864299.tif 000007
【図７】
0003864299.tif 000008